Podtech/llm-jp-corpus-v4-ja_patent huggingface dataset:
(57)【要約】【課題】  ゴルフティーの紛失をしにくくし、ショット時にティー自体の受ける衝撃を少なくし、また、ゴルフティーが飛んでしまっても見つけ易く、さらに、ゴルフティーをボケットに入れた際に、ゴルフティーの先端の尖った部分でケガをすることがないゴルフティーの紛失防止具を開発・提供することにある。【解決手段】  弾性樹脂材の一例としてシリコーンゴムを用い、所定の図形の本体（１）を設け、該本体（１）の中心部にはゴルフティー（Ｘ）を差し込み、保持する通穴（２）を設け、該本体（１）の断面形状は、中心部、即ち、通穴（２）付近を肉厚に形成し、また、表面部は、中心部から周縁部に進むに従って、低くなるよう形成したことを特徴とするゴルフティの紛失防止具から構成される。【選択図】        図３
0003107466.tif 000002
【実用新案登録請求の範囲】
【請求項１】
弾性樹脂材を素材を用い、所定の図形の本体（１）を設け、該本体（１）の中心部にはゴルフティー（Ｘ）を差し込み、保持する通穴（２）を設け、該本体（１）の断面形状は、中心部、即ち、通穴（２）付近を肉厚に形成し、また、表面部は、中心部から周縁部に進むに従って、低くなるよう形成したことを特徴とするゴルフティの紛失防止具。
【考案の詳細な説明】
【技術分野】
【０００１】
この考案は、ゴルフティーの紛失防止具に関するものである。
【背景技術】
【０００２】
従来、ゴルフ競技によるゴルフティーは、ティーグランド及びプレーインググランドにおいて、打球の際使用されるものである。
【０００３】
そして、上記ティーグランドやプレーインググランドにおいて、このゴルフティーの先端を地面に差し込み、上端にゴルフボールを載置しておき、ウッドあるいはアイアンのクラブでその載置されたゴルフボールを打つものである。
【０００４】
しかし、このゴルフティーは、ボールを打った際、前・後・左・右のいずれかに飛んでしまい、それを見つけることが難しく、そのために時間を要し、プレーが遅延する結果となり、後続のパーティーにも迷惑がかかるという欠点があった。
【０００５】
そのため、ゴルフティーに嵌着するリングを設け、該リングにリボン状の帯体を設けたゴルフティー紛失防止具が存在するが、安定感はなく、しかも、風により帯体がひらひら舞い、プレーヤーの集中心を邪魔するものでしかなかった。（例えば、特許文献１のように）
【特許文献１】実開平７−２１０７２号公報
【考案の開示】
【考案が解決しようとする課題】
【０００６】
そこで、この考案は、上記の各欠点を除去し、ゴルフティーの紛失をしにくくし、ショット時にティー自体の受ける衝撃を少なくし、また、ゴルフティーが飛んでしまっても見つけ易く、さらに、ゴルフティーをボケットに入れた際に、ゴルフティーの先端の尖った部分でケガをすることがないゴルフティーの紛失防止具を開発・提供することにある。
【課題を解決するための手段】
【０００７】
この考案は、ゴム状弾性材の素材を用い、所定の図形の本体を設け、該本体の中心部にはゴルフティーを差し込み握持する通穴を設け、該本体の断面形状は、中心部を肉厚に形成し、また、表面部は周縁部に進むに従って、低くなるよう形成したことを特徴とするゴルフティの紛失防止具である。
【考案の効果】
【０００８】
この考案によると、ティーショットをした際、ゴルフティーと本体とが一体で飛ぶため、あまり遠くには飛ばないため、ゴルフティーは見つけ易く、紛失することなく、ショット時にゴルフティー自体の受ける衝撃を少なくし、また、また、本体の表面部が周縁部に進むに従って、低くなるよう形成したことにより、本体の周縁部がグランド面（Ｙ）と密着した状態となり、安定し、さらに、ゴルフティーを本体に差したまま、ボケットに入れても、本体は弾性樹脂を素材としているため、柔らかく、ゴルフティーの先端の尖った部分でケガをすることがない等の極めて有益なる効果を奏する。
【考案を実施するための最良の形態】
【０００９】
次に、この考案の一実施例を図面に従って詳述すると、弾性樹脂材の一例としてシリコーンゴムを用い、所定の図形の本体（１）を設け、該本体（１）の中心部にはゴルフティー（Ｘ）を差し込み、保持する通穴（２）を設け、該本体（１）の断面形状は、中心部、即ち、通穴（２）付近を肉厚に形成し、また、表面部は、中心部から周縁部に進むに従って、低くなるよう形成したことを特徴とするゴルフティの紛失防止具から構成される。
【００１０】
尚、所定の図形とは、種々考えられるが、その一例として図１および図４ではクローバー、桜の各花ビラ状を示したが、そのほか、ひまわり、コスモス、三色すみれ等、また、これの形状に限定されることはない。さらに、本体（１）の表面をカラーに着色されたものであれば、ゴルフディー（Ｘ）と一体に飛んだ際にも、見つけ易い。
【産業上の利用可能性】
【００１１】
この考案により、ゴルフティーの紛失防止具の製造技術を確立し、製造、販売することにより、産業上の利用可能性があるものである。
【図面の簡単な説明】
【００１２】
【図１】この考案の一実施例を示す平面図である。
【図２】この考案の一実施例を示す断面図である。
【図３】この考案の使用状態を示す正面図である。
【図４】この考案の他の実施例を示す平面図である。
【符号の説明】
【００１３】
１  本体
２  通穴
Ｘ  ゴルフティー
Ｙ  グランド面
【図１】
0003107466.tif 000003
【図２】
0003107466.tif 000004
【図３】
0003107466.tif 000005
【図４】
0003107466.tif 000006
(57)【要約】      （修正有）【課題】遠赤外線とマイナスイオンの持つ優れた健康増進効果を利用した家庭用サウナを提供する。【解決手段】遠赤外線とマイナスイオンを発生する一体型の温風装置よりマイコンにより温度の調節と安全管理を追及する。温度調節により低温時のマイナスイオンの発生を促進する。【選択図】図１
0003107741.tif 000002
【実用新案登録請求の範囲】
【請求項１】
遠赤外線とマイナスイオン発生装置を併せ持つことを特徴とする温風発生装置である。
【請求項２】
マイコンによりヒーターを制御することによりマイナスイオンの発生を増加させることを特徴とする温風発生装置である。
【考案の詳細な説明】
【考案の詳細な説明】
【０００１】    ［考案の属する技術分野］
本考案品は、健康的に既に実証されている遠赤外線発生装置に新たにマイナスイオン発生装置を組み合わせ、一体とした装置によりサウナウエアーの内部に遠赤外線とマイナスイオンを同時に送り込むことを特徴とする健康サウナである。
【０００２】    ［従来の技術］
遠赤外線及びマイナスイオン使用の人体における有益な健康用品としての開発が進んだ事を背景とする。
【０００３】    ［考案が解決しようとする課題］
発汗作用を促し体内の老廃物の除去、体内の深部温度の向上により免疫力の強化と冷え性改善、マイナスイオンによる癒し効果等々健康増進に優れる。
【０００４】    ［課題を解決するための手段］
遠赤外線とマイナスイオンを兼ね備えた熱風をサウナウエアーの内部に送り込んで人体の深部温度を高め、また、マイナスイオンの発生をよくするため高温と低音の切替えをマイコン機能で行う。
【０００５】    ［考案の実施の形態］
サウナウエアーは頭部を外部に出し首の周りをマジックテープでとめることにより熱の損失を防ぐと共に頭部の熱の上昇を抑える。
サウナ風呂を設置するスペースがない一般家庭でも不使用時には、サウナウエアー、遠赤外線マイナスイオン発生装置、椅子をコンパクトに収納が出きる。
【０００６】    ［考案の効果］
遠赤外線、マイナスイオン効果については、医学会でも注目を浴びている。
横山正義医博、竹内隆医博共著『ガンに効く遠赤外線療法への確信』石原結實医博『体の冷えをとるとなぜ病気が治るか』等々参考
【図面の簡単な説明】
【図１】  本考案品に拘わる実施例で使用状態での透視図
【符号の説明】
▲１▼は、遠赤外線マイナスイオン熱風発生一体装置
▲２▼は、スイッチ
▲３▼は、ソケット
▲４▼は、椅子
▲５▼は、サウナウエアー
▲６▼は、両手開閉口
▲７▼は、マット
▲８▼は、マイクロスイッチ
▲９▼は、ヒーター
▲１０▼は、遠赤外線マイナスイオン発生装置
▲１１▼は、ヒューズ
【図１】
0003107741.tif 000003
【手続補正書】
【提出日】平成16年10月7日(2004.10.7)
【手続補正１】
【補正対象書類名】実用新案登録請求の範囲
【補正対象項目名】全文
【補正方法】変更
【補正の内容】
［書類名］    実用新案登録請求の範囲
［請求項１］
遠赤外線とマイナスイオン発生機能により、内部に遠赤外線とマイナスイオンを同時に送り込む事を特徴とする簡易サウナ。
［請求項２］
請求項１に記載の遠赤外線の発生因子として、ヒーター部分にセラミックを用いこれにより遠赤外線を発生させて、それを内部に送り込むことを特徴とする簡易サウナ。
［請求項３］
請求項１に記載のマイナスイオンの発生因子として、物質を加圧することによってマイナスイオンを発生させて、それを内部に送り込むことを特徴とする簡易サウナ。
［請求項４］
マイコンによりヒーターを制御することによりマイナスイオンの発生を重視した使い方、サウナ機能を重視した使い方に調節可能な事を特徴とする請求項１記載の簡易サウナ。
(57)【要約】【課題】長尺ロールの保管不備と保管不備に伴う作業効率の悪さの改善。不使用のスピンドルの保管場所の確保。【解決手段】長尺ロール及びスピンドルの保管具を用いることにより、長尺ロールの品質保持と管理及び長尺ロールの交換の簡易化が作業効率の向上に繋がる。スピンドルの保管を併せ持たせたことで作業環境の効率向上にも貢献する。【選択図】  図３
0003107746.tif 000002
【実用新案登録請求の範囲】
【請求項１】
長尺ロール保管具は、Ｌ字型（ＡＢ）土台を作り移動を容易にするためのキャスター（Ｅ）を取り付けている。Ｌ字型Ｂ部分の３本（Ｂ−１、Ｂ−２、Ｂ−３）に、水平に各々９本のパイプ（Ｃ）を取り付け、各種の長尺ロールの品質を保持し、かつ大量（最大２７本）に管理することを目的とする。
【請求項２】
スピンドルを保管するために強力磁石付き金具を備えた（Ｆ）。これは、左右に移動が可能。
【考案の詳細な説明】
【考案の詳細な説明】
【技術分野】
【０００１】  本考案は、スピンドルの保管場所を確保しつつ、長尺ロールの品質を劣化させることなく保護・保管し、かつ作業効率を上げるための保管具である。
【背景技術】
【０００２】  長尺ロールを交換する度に、不使用の長尺ロールをダンボール箱に入れて保管しなければならない。また、プリント時にスピンドル若しくはハイテンションスピンドルのいずれか一本を使用するが、不使用のスピンドルの保管場所がない。
【考案が解決しようとする課題】
【０００３】  長尺ロールをダンボールに入れたり、立てかけて保管する場合、皺が寄ったり傷をつけ長尺ロールに損傷を与える。この場合の作業手順も、長尺ロールをビニール袋に入れ、左右の穴にストッパーをはめ込み、ダンボール箱に収める、という非効率な工程である。使用しない一本のスピンドルの置き場に困る。前述の欠点を解決しようとするものである。
【課題を解決するための手段】
【０００４】  本考案は、長尺ロール及びスピンドルの保管具を使うことにより、ビニール袋に入れた長尺ロールを、そのまま横に伸びたパイプに差し込むという簡単な保管方法であり、各種長尺ロールの品質保持のみならず２７本に及ぶ長尺ロールを保管することが出来る。同時にスピンドル保管も容易にし、作業効率の向上を図ることが出来る。
【考案を実施するための最良の形態】
【０００５】  図１〜図３においてＬ字型（ＡＢ）部分は素材である鉄に塗装を施し、パイプ（Ｃ）はステンレス、ビスは鉄の六角ビス（Ｄ）を用いてパイプをＬ字型土台（Ｂ）に固定させる。キャスター（Ｅ）はストッパー付きである。スピンドルを保管するために強力磁石付き金具を備えた（Ｆ）。これは、左右に移動が可能。
【実施例】
【０００６】  以下、添付図面に従って実施例を説明する。
【考案の効果】
【０００７】  上述のように、本考案の長尺ロール及びスピンドルの保管具を用いることにより、長尺ロールの品質保持と作業効率の向上強化を図ることが出来るものである。
【図面の簡単な説明】
【図１】長尺ロール及びスピンドルの保管具前面図
【図２】長尺ロール及びスピンドルの保管具側面図
【図３】長尺ロール及びスピンドルの保管具全体図
【符号の説明】
ＡＢ  Ｌ字型土台
Ｃ    パイプ
Ｄ    六角ビス
Ｅ    キャスター
Ｆ    磁石付き金具
【図１】
0003107746.tif 000003
【図２】
0003107746.tif 000004
【図３】
0003107746.tif 000005
【手続補正書】
【提出日】平成16年10月7日(2004.10.7)
【手続補正１】
【補正対象書類名】実用新案登録請求の範囲
【補正対象項目名】全文
【補正方法】変更
【補正の内容】
【実用新案登録請求の範囲】
【請求項１】
Ｌ字型（ＡＢ）土台にキャスター（Ｅ）を取り付け、Ｌ字型Ｂ部分の３本（Ｂ−１、Ｂ−２、Ｂ−３）に各々９箇所の開口を設け、該開口にパイプ（Ｃ）を差し込み可能とした長尺ロール及びスピンドルの保管具。
【請求項２】
請求項１記載の長尺ロール及びスピンドルの保管具であって、Ｌ字型Ａ部分に，左右に移動が可能な強力磁石付き金具を備えた請求項１記載の長尺ロール及びスピンドルの保管具。
(57)【要約】      （修正有）【課題】暗闇でも、ペグ、張り綱などの位置が分かる点滅発光マーカーの提供。【解決手段】筒の中に電池、発光体、回路を納める。【選択図】図２
0003107743.tif 000002
【実用新案登録請求の範囲】
【請求項１】
丈夫な筒の中に電池、回路、発光体を納めさらに防水にした、ペグなどのそばに置き、位置を知らせる点滅発光マーカー。
【請求項２】
筒の底にねじを設け、そこに先の尖ったものや、平たいものなどを接続し、様々な場所に設置することができる請求項１記載の点滅発光マーカー。
【考案の詳細な説明】
【技術分野】
【０００１】  本考案は自動点滅する発光体のマーカーに関する。
【背景技術】
【０００２】  従来のマーカーにおいては、蓄光材、蛍光塗料、反射材などを用いたものがある。
【考案の開示】
【考案が解決しようとする課題】
【０００３】  従来のマーカーにあっては、蓄光材、蛍光塗料、反射材などを用いているため、時間とともに見えにくくなったり、別の光源がないと認識できないなどの問題点があった。【０００４】  本考案は、暗闇でも認識でき、点滅することによって目立ち、かつ消費電力を低く抑えることができるマーカーを提供する事を目的としている。
【課題を解決するための手段】
【０００５】  上記目的を達成するために、本考案の点滅発光マーカーにおいては、電池、回路、発光体を筒の中に内蔵している。
【考案の効果】
【０００６】  発光体を内蔵しているので暗闇でも認識できる。【０００７】  さらに、点滅することによって目立ち、消費電力も低く抑えることができ、電池をひんぱんに換えなくてもよい。【０００８】  また、小型にできるので持ち運びが楽である。
【考案を実施するための最良の形態】
【０００９】  筒の中に電池、点滅回路、発光体を内蔵する。【００１０】  電池は乾電池一つを用い、点滅回路はＬＭ３９０９などの低電圧で作動するもので構成する。また、発光体は消費電力が小さく、長寿命のＬＥＤなどを用いる。【００１１】  筒のそこには雌ねじを切り、そこに先がとがったものを接続すれば地面に刺して使用でき、接地面積の大きいものを接続すれば様々なところに置いて使用する事ができる。
【産業上の利用可能性】
【図面の簡単な説明】
【００１２】
【図１】側面図
【図２】側面の断面図
【符号の説明】
【００１３】    １  透明なふた
２  筒
３  地面に刺すときに使う突起物
４  発光体
５  自動点滅回路
６  電池
７  メスねじ
８  オスねじ
【図１】
0003107743.tif 000003
【図２】
0003107743.tif 000004
(57)【要約】      （修正有）【課題】離れた場所から暴漢に催涙スプレーを噴霧することができる。【解決手段】主軸パイプ１の先に噴霧口２と市販の催涙スプレー６を設け、噴霧口２の両側にワイヤーロープ５を設け、噴射固定レバー３と連結して、市販の催涙スプレー６をボルト４で固定して、その主軸パイプ１を安全に常時設定していくために噴射連結レバー３に固定アングル７を設け、誤作動を防ぎ、主軸パイプ１の上・下に固定キャップ８と固定台９で固定したことを特徴とする。【選択図】図３
0003107742.tif 000002
【実用新案登録請求の範囲】
【請求項１】
主軸パイプ（１）の筒の中に噴霧口（２）と市販の催涙スプレー（６）を設け、噴霧口（２）の両側部と噴射連結レバー（３）をワイヤーロープ（５）で連結し、市販の催涙スプレー（６）が動かないようにボルト（４）を設け、その主軸パイプ（１）を安全に常時設定するため、噴射連結レバー（３）に固定アングル（７）を設けることにより誤作動防止になり、主軸パイプ（１）の上・下に固定キャップ（８）と固定台（９）を設けたことを特徴とする。
【考案の詳細な説明】
【考案が解決しようとする課題】
【０００１】  これは次のような欠点があった。
（イ）  向かい風が吹くと催涙スプレーのガスが自分にかかってしまう。
（ロ）  催涙スプレーの噴霧距離が１〜２ｍしかないため、暴漢に近寄れなかった。
（ハ）  催涙スプレーの保管は子供達の手が届かない場所に保管するため、瞬時の対応に      間にあわない。
【課題を解決するための手段】
【０００２】  上記目的を達成するために、長いアルミパイプの先端に市販の催涙スプレーを埋め込み、手元で噴射操作ができることにより暴漢から距離が保つことができる。  また、本体を常時設定するために誤作動防止と瞬時に対応するため固定台の出っ張りを踏み込めば固定台が曲がり、本体を取り出すことができる。
【考案の効果】
【０００３】  パイプの先端に催涙スプレーを設けることにより、自分にガスがかからなくなり、暴漢から安全な距離を保つことができる。また、誤作動防止があるため、いつでも使用できる所に本体を備え付けることができる。
【図面の簡単な説明】
【図１】  本体の斜視図である。
【図２】  本体の断面図である。
【図３】  本体の分解斜視図である。
【図４】  本体を常時設定した状態の平面図である。
【符号の説明】
１  主軸パイプ
２  噴射口
３  噴射レバー
４  ボルト
５  ワイヤーロープ
６  市販の催涙スプレー
７  固定アングル
８  固定キャップ
９  固定台
【図１】
0003107742.tif 000003
【図２】
0003107742.tif 000004
【図３】
0003107742.tif 000005
【図４】
0003107742.tif 000006
【手続補正書】
【提出日】平成16年10月13日(2004.10.13)
【手続補正１】
【補正対象書類名】実用新案登録請求の範囲
【補正対象項目名】全文
【補正方法】変更
【補正の内容】
【実用新案登録請求の範囲】
【請求項１】
主軸パイプ（１）の筒の中に噴射口（２）と市販の催涙スプレー（６）を設け、噴射口（２）の両側部と噴射連結レバー（３）をワイヤーロープ（５）で連結し、市販の催涙スプレー（６）が動かないようにボルト（４）を設け、その主軸パイプ（１）を安全に常時設定するため、噴射連結レバー（３）に固定アングル（７）を設けることにより誤作動防止になり、主軸パイプ（１）の上・下に固定キャップ（８）と固定台（９）を設けたことを特徴とする延長型催涙スプレー。
(57)【要約】      （修正有）【課題】額縁に立体的な空間を持たせて  又装飾することにより平面的な額縁の欠点を解決する。【解決手段】額縁１の枠にガラス板２を押えるために木板３を４辺に取り付けるマット４は空間を持たせるために写真１６より大きくして装飾スペース７を設ける大きさにする。立体的になるようにマットに厚さのある板５を取り付け写真を貼る。マット、木板、ガラス板が落ちないように額縁押え板８と止め金具９で固定する【選択図】図２
0003107747.tif 000002
【実用新案登録請求の範囲】
【請求項１】
１の額縁の枠の４辺に２のガラス板を固定するために３の木板をつけ  空間を持たせかつ立体的になるように  ４のマットに５の厚さのある板で６の写真を少し上げた状態で取り付けかつ写真の周りに７の装飾スペースを設けた額縁
【考案の詳細な説明】
【技術分野】
【０００１】  本考案は  額縁に関するものである
【背景技術】
【０００２】  今までの額縁は  マット台紙に写真を貼り付けるものとかアクリルの板に挟むタイプのもので平面的で装飾もないため殺風景な額縁でした
【考案の開示】
【考案が解決しようとする課題】
【０００３】  着実に写真を楽しむ人は増えています。もっと写真を楽しんでもらうために  額縁を  立体的に空間を持たせて  又装飾することにより今まで平面的で殺風景な額縁の欠点を解決しようとするものである
【課題を解決するための手段】
【０００４】  本考案は  １の額縁の枠の４辺に３の木板を付け２のガラス板を押さえ  ４のマットに５の厚さのある板により６の写真を少し持ち上げた状態で取り付けることにより  空間を持たせて  かつ写真の周りに７の装飾スペースを設けた額縁により解決している
【考案の効果】
【０００５】  上述のように写真を持ち上げて空間を持たせることにより立体的になりかつ装飾スペースを持たせる額縁になり  今までより写真を飾ることの楽しみを知ってもらえることになった  また装飾スペースを自分の好みで飾ることができるため額縁にオリジナル性を出せるようになった
【考案の実施するための最良の形態】
【０００６】  １の額縁の枠の４辺に３の木板をつけ２のガラス板を押えるようにする  ４のマットと６の写真の取り付けは  写真の中心に５の厚さのある板を貼り付け  あと６の写真と１の額縁の枠の間の周りに７の装飾スペースを設け  ４のマットを８の額縁押え板で押さえつけ９の止め金具で固定するようにした
【実施例】
【０００７】  以下、添付図面に従って一実施例を説明する。１の額縁の枠に２のガラス板を押えるために３の木板を４辺に取り付ける。【０００８】  ４のマットは空間を持たせるために６の写真より大きくして７の装飾スペースを設ける大きさにする。立体的になるように４のマットに５の厚さのある板を取り付け６の写真を貼る【０００９】  ４のマット、３の木板、２のガラス板が落ちないように８の額縁押え板と９の止め金具で固定する
【図面の簡単な説明】
【００１０】
【図１】本考案の立体的かつ装飾スペースのある額縁の実施例を示す正面図
【図２】図１の額縁のＡ−Ａ｀の切断面図
【図３】額縁の裏面図
【符号の説明】
【００１１】１  額縁の枠
２  ガラス板
３  木板
４  マット
５  厚さのある板
６  写真
７  装飾スペース
８  額縁押え板
９  止め金具
【図１】
0003107747.tif 000003
【図２】
0003107747.tif 000004
【図３】
0003107747.tif 000005
【手続補正書】
【提出日】平成16年10月19日(2004.10.19)
【手続補正１】
【補正対象書類名】実用新案登録請求の範囲
【補正対象項目名】全文
【補正方法】変更
【補正の内容】
【実用新案登録請求の範囲】
【請求項１】
額縁の枠の４辺にガラス板を固定するために木板をつけ  空間をもたせかつ立体的になるように  マットに厚さのある板で写真を少し上げた状態で取り付けかつ写真の周りに装飾スペースを設けた額縁
(57)【要約】【課題】  アウタの襟刳り形状に応じて、前後を逆にして着用することができ、一面を前にしたときは襟刳りがアウタの胸部外面にひびくのを防ぎ、アウタの背中が大きく開いているときもアンダーシャツがはみ出ることが無く、しかも、保温効果があるノースリーブアンダーシャツを提供すること。【解決手段】  前後逆に着用可能であり、一面２側の襟刳り６ａを他面側の襟刳りよりも深くし、一面２を前にして着用したとき、襟刳り６ａが乳房部の下を通る。【選択図】          図２
0003107781.tif 000002
【実用新案登録請求の範囲】
【請求項１】
前後逆に着用可能であり、一面側の襟刳りを他面側の襟刳りよりも深く形成し、前記一面を前にして着用した時、前記一面側の襟刳りが乳房部の下を通ることを特徴としたノースリーブアンダーシャツ。
【請求項２】
前記他面を前にして着用した時、前記他面側の襟刳りが乳房部の上部表面を横切る請求項１に記載のノースリーブアンダーシャツ。
【考案の詳細な説明】
【技術分野】
【０００１】
本発明は、キャミソール、タンクトップ等のノースリーブアンダーシャツに関する。
【背景技術】
【０００２】
アンダーシャツ等のシャツ類は前後が決まっており、前面側の襟刳りを後面側の襟刳りよりも深く形成することが多い。
ところが、このようなアンダーシャツの上に、背中が大きく開いたアウタを着用すると、背中の開きからアンダーシャツがはみ出てしまう。
また、アンダーシャツの前面側の襟刳りが乳房部の表面を横切ることになるため、この襟刳りの周縁がアウタの外面に隆起して現れ、体裁が悪い。
【考案の開示】
【考案が解決しようとする課題】
【０００３】
本考案が解決しようとする課題は、アウタの襟刳り形状に応じて、前後を逆にして着用することができ、アウタの前面の襟刳りが大きく開いている場合にも、背中が大きく開いている場合にも、アンダーシャツがはみ出ることが無く、一面を前にしたときは襟刳りがアウタの胸部外面にひびくのを防ぎ、しかも、保温効果があるノースリーブアンダーシャツを提供することにある。
【課題を解決するための手段】
【０００４】
本考案のノースリーブアンダーシャツは、前後逆に着用可能であり、一面側の襟刳りを他面側の襟刳りよりも深く形成し、一面を前にして着用した時、前記一面側の襟刳りが乳房部の下を通るようにしてある。
他面を前にして着用した時、前記他面側の襟刳りが乳房部の上部表面を横切るようにしても良い。
【考案の効果】
【０００５】
本考案によれば、ノースリーブタイプであって袖刳り形状には前後両面でそれほどの差がないため、一面を前にしても他面を前にしても着用可能であり、一面を前にして着用すると、襟刳りが乳房部の下を通ってブラジャーの表面を横切らないので、アウタの前面の襟刳りが大きく開いていてもアンダーシャツがはみ出さず、また、アウタの外面に襟刳りが隆起してひびくのを防ぐことができ、しかも、背部や腹部の保温効果は十分に発揮することができる。
さらに、背中が大きく開いたアウタを着る際には、他面を前にして着用すると、一面側の襟刳りが非常に深く形成されているので、背中の開きからアンダーシャツがはみださず、この場合にも胸部、腹部を確実に保温する。
【考案を実施するための最良の形態】
【０００６】
以下、キャミソールタイプのノースリーブアンダーシャツである実施例を図面に基づいて詳細に説明する。図１は、ノースリーブアンダーシャツ１を一面側から見た図、図２は、一面を前にして着用した場合の正面図、図３は、他面を前にして着用した場合の背面図である。
本考案のノースリーブアンダーシャツ１は、綿とポリウレタンとを含む伸縮性素材より成り、図１に示すように、一面２の上端両側部及び他面３の上端両側部にそれぞれ係止ループ４が形成される。
そして、ノースリーブアンダーシャツ１の両側部において、一面２の上端と他面３の上端とに亘りそれぞれストラップ５が架設される。ストラップ５の両端は係止ループ４に着脱自在に係止され、好みにより、ストラップ５を他のファッションストラップに交換できるようになっている。
また、ノースリーブアンダーシャツ１は、袖刳りの形状が一面２側と他面３側とでそれほど差がないため、一面２を前にしても他面３を前にしても着用することができる。
【０００７】
ノースリーブアンダーシャツ１の襟刳りは、一面２側の襟刳り６ａを他面３側の襟刳り６ｂよりも深く形成してあり、図２に示すように、一面２を前（腹部側）にし、他面３を後（背面側）にして着用した時、一面２側の襟刳り６ａが乳房部の下を通るようになっている。
このため、アウタの前面の襟刳りが大きく開いていても、ノースリーブアンダーシャツ１の襟刳り６ａがはみ出さないばかりか、襟刳り６ａが乳房部の表面を横切らないので、アウタの外面側へ隆起して現れるのを防ぐことができる。しかも、この時、ノースリーブアンダーシャツ１の一面２及び他面３によって、腹部と背部を確実に保温することが可能である。
【０００８】
背中が大きく開いたアウタをノースリーブアンダーシャツ１の上に重ねる場合には、図３に示すように、ノースリーブアンダーシャツ１の他面３を前にし、一面２を後にして着用する。
すると、一面２側の襟刳り６ａは非常に深く形成されているので、アウタの背中の開きからはみ出ることはない。
また、他面３側の襟刳り６ｂは乳房部の上部表面を横切り、ノースリーブアンダーシャツ１の他面３で、胸部及び腹部を保温することができる。
【０００９】
なお、ストラップは着脱自在とせず、ストラップの両端を一面及び他面の上端にそれぞれ縫いつけても良い。
また、ノースリーブアンダーシャツは、キャミソール以外のスタイル、例えば、一面の上端両側部及び他面の上端両側部から上方に肩部が連続するよう裁断されたタンクトップタイプとすることもできる。
【図面の簡単な説明】
【００１０】
【図１】本考案の実施例を示すノースリーブアンダーシャツの一面側から見た図。
【図２】ノースリーブアンダーシャツの着用例を示す正面図。
【図３】ノースリーブアンダーシャツの他の着用例を示す背面図。
【符号の説明】
【００１１】
１  ノースリーブアンダーシャツ
２  一面
３  他面
４  係止ループ
５  ストラップ
６ａ  一面側の襟刳り
６ｂ  他面側の襟刳り
【図１】
0003107781.tif 000003
【図２】
0003107781.tif 000004
【図３】
0003107781.tif 000005
(57)【要約】      （修正有）【課題】豆乳バタークリームを中間素材として用いた新規なサンドクッキーを提供する。【解決手段】卵、バター、砂糖等を混ぜ合わせて固め、オーブンで焼いたサブレ１と豆乳、ショートニング、バター等を原料とした豆乳バタークリーム２とを積層した多層菓子。【選択図】図１
0003107782.tif 000002
【実用新案登録請求の範囲】
【請求項１】
豆乳バタークリームとサブレを積層した多層菓子。
【請求項２】
サブレの原料に豆乳を配合したことを特徴とする請求項１記載の多層菓子。
【請求項３】
豆乳バタークリームにレーズン等の果実を分散させたことを特徴とする請求項１又は２に記載の多層菓子。
【考案の詳細な説明】
【技術分野】
【０００１】
本考案は、豆乳バタークリームとサブレを組み合わせた多層菓子に関する。 
【背景技術】
【０００２】
サンドクッキーは、従来より年齢を問わず多くの人に好んで食されている菓子である。サブレの間にチョコレートやクリーム、チーズなどを挟み込んだものが製造、販売されている。
【考案の開示】
【考案が解決しようとする課題】
【０００３】
本考案は、サンドクッキーの中間素材として、豆乳バタークリームを用いた新規な食べ物を提供することを目的とする。
【課題を解決するための手段】
【０００４】
(1)  豆乳バタークリームとサブレを積層した多層菓子。
(2)  サブレの原料に豆乳を配合したことを特徴とする（１）記載の多層菓子。
(3)  豆乳バタークリームにレーズン等の果実を分散させたことを特徴とする（１）又は（２）に記載の多層菓子。
【考案の効果】
【０００５】
作用効果は次のとおりである。
（1）サブレと豆乳バタークリームを層状に組み合わせた新規で独創的な構成の菓子である。
（2）豆乳バタークリームは重くなく、低カロリーでありヘルシーで美味な多層菓子である。
（3）豆乳バタークリームにレーズンなどの果実を混入することにより、バラエティーを出すことができる。
（4）サブレとバターの双方の原料に豆乳を用いることにより、味・風味など全体として食味が調和した菓子である。
【考案を実施するための最良の形態】
【０００６】
本願考案に用いられるサブレは、特に原材料が限定されるものではない。豆乳成分として粉末豆乳を加えると豆乳バタークリームと調和した風味が得られる。一般的には、卵、バター、砂糖、小麦粉、その他の材料を混ぜ合わせて固めたもので、オーブンで焼いて製造する。
その他の材料して、食塩、アンモニア、重曹、水飴、バニラオイル、粉乳などが用いられる。また、風味付として香料、色付として着色剤を添加することができる。
【０００７】
豆乳バタークリームは、豆乳、ショートニング、バター、粉糖などを原料とする。その他、チョコレート、ホワイトチョコレート、レーズンなどの乾燥果肉、アーモンドなどの核果、香料、酒類、香辛料などを添加することができる。
豆乳を原料としているので、低カロリーに仕上げることができ、豆乳独特の風味を表現することができる。また、バターなどを減らすことにより、乳に対してのアレルギー対策となる。
【０００８】
豆乳バターは、豆乳にグラニュー糖、トレハロース、粉末豆乳等を混合、加熱沸騰させてジャム状にし、この豆乳ジャムにショートニング、バター、粉糖を加えて作成する。さらにこれに前記の添加剤を加えることができる。
【０００９】
多層構成は上下の外側にサブレが配置され、間に豆乳バタークリームを介在させるものである。少なくとも三層であるが、サブレと豆乳バタークリームを交互に重ねることで、層を増すことができる。形は、方形、円形、ハート型などサブレの成形型によりいろいろな形状が可能である。
【実施例１】
【００１０】
上下サブレの間に豆乳バタークリームをはさんだ三層の豆乳バタークリームサンドの例。
本実施例は、サブレ１を用いて豆乳バタークリーム２を挟み込んだものである。その斜視図を図１に示し、図２に断面を示す。
【００１１】
サブレ及び豆乳バタークリームは次のようにして製造して利用した。サブレの配合は２つ例示するが、配合（１）（表１）を使用した例である。
【００１２】
１．サブレの配合表（１）
【表１】
0003107782.tif 000003
【００１３】
２．サブレの配合表（２）
【表２】
0003107782.tif 000004
【００１４】
３．豆乳バタークリームの配合表
【表３】
0003107782.tif 000005
【００１５】
＜サブレの製法＞
サブレの配合例（１）（表１）について記載する。
（1）ＡとＢをよくすり合わせてクリーム状に練る。
（2）Ｃの一部を取って、アンモニア・重曹は別々に（１）に溶き合わせる。
（3）Ｃの残りを（２）に合わせＥ，Ｆ，Ｇを順番にまぜ合せ、冷蔵庫で休ませる。
（4）冷蔵庫から出し、薄くのばして、型抜きをする。１枚２４ｇ程度とした。
（5）オーブンで焼き、サブレを完成する。
【００１６】
＜豆乳バタークリームの製法＞
豆乳バタークリームの製法例（表３）について記載する。
（１）豆乳にグラニュー糖、トレハロース、粉末豆乳、乳化剤、安定剤をよく混ぜ合わせたものを加え沸騰させてジャム状にして、豆乳ジャムを作成する。
（２）バター、ショートニング、粉糖をミキサーに入れ混ぜ合わせる。
（３）（２）に常温に冷ました（１）を加えよく混ぜる。
（４）（３）にホワイトチョコを混ぜ合わせる。
（５）（４）にラムレーズンを加えよく混ぜて、レーズン入り豆乳バタークリームを完成する。
【００１７】
＜積層＞
サブレを２枚準備し、片方にレーズン入り豆乳バタークリームを１７ｇ塗り、その上に他方のサブレをのせてサンドして、３層の豆乳バタークリームサンドを完成した。
【図面の簡単な説明】
【００１８】
【図１】実施例１の多層菓子の斜視図。
【図２】実施例１の多層菓子の斜視図。
【符号の説明】
【００１９】
１  サブレ
２  豆乳バタークリーム
【図１】
0003107782.tif 000006
【図２】
0003107782.tif 000007
(57)【要約】【課題】従来の市販されている各種の弁当で必要な栄養素を充分に摂取することは不可能である。【解決手段】  市販されている各種類の弁当の内容ごとに不足がちな栄養素を考慮し、完全に補うことは不可能でも、少しでもその不足する栄養素を錠剤や粉末又は、顆粒状及び液状に加工し、適宜なサイズと材料で包装。弁当の内側又は外側に設けることにより不足する栄養素を補うことができる健康補助食品付き弁当である。【選択図】  図１
0003107790.tif 000002
【実用新案登録請求の範囲】
【請求項１】
弁当に健康補助食品を設けたことを特徴とする、健康補助食品付き弁当。
【請求項２】
弁当に錠剤や粉末又は顆粒状及び液状に加工された健康補助食品を設けた、請求項１記載の健康補助食品付き弁当。
【考案の詳細な説明】
【技術分野】
【０００１】  本考案は、一般に駅売店やコンビニエンスストアー等で販売される、健康補助食品付き弁当に関する。
【背景技術】
【０００２】  従来の駅売店やコンビニエンスストアー等で販売されている弁当で、健康補助食品が付いている弁当はなかった。【０００３】  例えば、特に市販されている弁当で単品に近い焼きそばや麺類等に限らず、他の弁当の場合でも栄養素が充分とは言いがたく不足がちであった。
【考案の開示】
【考案が解決しようとする課題】
【０００４】  以上に述べた従来の市販される弁当類では、栄養素が不足がちである。そのため完全に補うことは不可能であるが、少しでもその不足がちである栄養素を、異なる弁当の内容ごとに、不足する栄養素を少しでも補助する必要がある。
【課題を解決するための手段】
【０００５】  そして、本考案は上記目的を達成するために各種市販されている弁当の内容で必要な栄養素を充分摂取することが不可能であるため、その不足する栄養素を完全に補うことはできないまでも少しでも、不足する栄養素を各種の弁当の内容を考慮し健康補助食品を付けることにより補うことができる。
【考案の効果】
【０００６】  上述したように市販される弁当で不足がちである栄養素を少しでも補うことができる健康補助食品を、錠剤や、粉末又は、顆粒状及び液状に加工し弁当に付けることにより不足する栄養素を少しでも補うことが可能になり健康維持に大いに役立つ健康補助食品付き弁当である。
【考案の実施するための最良の形態】
【０００７】  以下、本考案の実施の形態を図１から図２に基づいて説明する。
【０００８】図１においては、弁当１の外側に健康補助食品２を設けてあり、図２の場合は、弁当１の内側に健康補助食品２を設けてある。
【０００９】  本考案の健康補助食品を各種弁当の種類ごとに不足する栄養素を、錠剤や粉末又は、顆粒状及び液状に加工し、適宜なサイズと形状に包装し、弁当の内側に設けることも出来るが、衛生面を考慮して外側に設けた方が好ましいが限定するものではない、健康補助食品付き弁当。
【００１０】  本考案の活用例として、一般のビジネスマンやオフイスレデーは言うに及ばず大部分の人は、多忙な日々を過ごしているために良く市販されている弁当を利用する機会が多くなりがちである。その為にどうしても栄養素が偏りがちに成り、かつ不足がちになり易いため、弁当に健康補助食品を設ける事により補うことが可能になる。
【図面の簡単な説明】
【００１１】
【図１】本考案の健康補助食品を弁当の外側に設けた実施形態を示す平面図
【図２】本考案の健康補助食品を弁当の内側に設けた実施形態を示す平面図
【符号の説明】
【００１２】  １        弁当
２        健康補助食品
【図１】
0003107790.tif 000003
【図２】
0003107790.tif 000004
(57)【要約】【課題】額縁、鉢植、鏡等の被吊体を室内の壁面、天井、その他任意の個所に吊り下げる吊り具であって、吊り下げに用いられる吊りひもが切断されることのない吊り具を得る。【解決手段】先端１に釘孔２を有するヘッド３を備えた立ち上がり片４と、この立ち上がり片４の末端５から水平方向に伸びた底辺６と、この底辺６先端７から上方に伸びた先端片８とから略コ字状を形成して構成され、底辺６に吊りひも１０を引っ掛け、吊りひも１０の両端１４、１４を被吊体１５に結びつけ、吊りひも１０を介して被吊体１５を吊り下げるようにした吊り具において、底辺６の横断面９をなめらかな山状に形成してなることを特徴とする。【選択図】図３ 
0003107755.tif 000002
【実用新案登録請求の範囲】
【請求項１】
先端に釘孔を有するヘッドを備えた立ち上がり片と、この立ち上がり片の末端から水平方向に伸びた底片と、この底辺先端から上方に伸びた先端片とから略コ字状を形成して構成され、上記底辺に吊りひもを引っ掛け、吊りひもの両端を被吊体に結びつけ、吊りひもを介して該被吊体を吊り下げるようにした吊り具において、前記底辺の横断面をなめらかな山状に形成してなる吊り具。
【請求項２】
請求項１において、前記被吊体が額縁、鉢植、または鏡である請求項１に記載の吊り具。
【考案の詳細な説明】
【技術分野】
【０００１】
本考案は額縁、鉢植、鏡等の被吊体を室内の壁面、天井、その他任意の個所に吊りひもを介して吊り下げる吊り具に係り、特に、吊り下げに用いられる吊りひもが切断されることのない吊り具に関する。
【背景技術】
【０００２】
額縁、鉢植、鏡等の被吊体を壁面等に吊り下げる吊り具として、従来、図５に示される構造のものが一般に用いられている。
【０００３】
これを図５および参考として図１を用いて説明すると、従来の吊り具Ｘは先端１に釘孔２を有するヘッド３を備えた立ち上がり片４と、この立ち上がり片４の末端５から水平方向に伸びた底辺６と、この底辺６の先端７から上方に伸びた先端８とから略コ字状を形成し、かつ、底辺６の横断面９を水平に、あるいは図示しないがなめらかな凹形状に形成して構成される。
【０００４】
上述構成からなる公知の吊り具Ｘは図５のように底辺６に吊りひも１０を引っ掛け、吊りひも１０の両端を図示しない被吊体に結びつけ、吊りひも１０を介して被吊体を吊り下げるものである。しかし、このとき、吊りひも１０は底辺６の両側角１１、１１と接触することになり、このため吊りひも１０は角１１、１１の接触点が擦れて弱まり、やがてここから切断してしまう。
【特許文献１】実用新案登録第３０４５３０７号
【考案の開示】
【考案が解決しようとする課題】
【０００５】
そこで、本考案が解決しようとする課題は吊りひもを底片に引っ掛けても、ひもが角に接触し、擦れて切断されるようなことはなく、上述の公知技術に存する欠点を改良した吊り具を提供することにある。
【課題を解決するための手段】
【０００６】
上述の課題を解決するため、本考案によれば、先端に釘孔を有するヘッドを備えた立ち上がり片と、この立ち上がり片の末端から水平方向に伸びた底片と、この底辺先端から上方に伸びた先端片とから略コ字状を形成して構成され、上記底辺に吊りひもを引っ掛け、吊りひもの両端を被吊体に結びつけ、吊りひもを介して該被吊体を吊り下げるようにした吊り具において、前記底辺の横断面をなめらかな山状に形成してなることを特徴とする。
【考案の効果】
【０００７】
上述構成からなる本考案吊り具は底片の横断面をなめらかな山状に形成して両側面の角を取り除いたから、吊りひもを底辺に引っ掛けて被吊体を吊り下げても、従来のようにひもが角に接触し、擦れて切断するようなことがない。
【考案を実施するための最良の形態】
【０００８】
以下、本考案を添付図面を用いて詳述する。
【０００９】
図１は本考案にかかる吊り具の一具体例の斜視図である。図２は図１の吊り具を壁面に固定した状態の側面図である。図３は図２のＡ―Ａ線断面図である。図４は額縁を壁面に吊り下げた状態の正面図である。
【００１０】
図１に示されるように、本考案にかかる吊り具Ａは先端１に釘孔２を有するヘッド３を備えた立ち上がり片４と、この立ち上がり片４の末端５から水平方向に伸びた底辺６と、この底辺６の先端７から上方に伸びた先端片８から略コ字状を形成して構成される。
【００１１】
このように構成される本考案にかかる吊り具Ａは使用に際して、まず、図２に示されるように壁面１２に釘孔２を通して釘１３を打ち込み、吊り具Ａを壁面１２に固定した後、次いで図３に示されるように、底辺６に吊りひも１０を引っ掛け、図４に示されるように、吊りひも１０の両端１４、１４を額縁、鉢植、鏡等の被吊体１５に結びつけ、吊りひも１０を介して被吊体１５を吊り下げる。
【００１２】
本考案の特徴は図３および図４に示されるように、底辺６の横断面９をなめらかな山状、すなわち、アール形状に形成したことに存する。この山状の形状は図１および図２においても明確に示されている。
【００１３】
上述の特徴を有する本考案吊り具Ａは底辺６の横断面９をなめらかな山状に、すなわち、アールをもって形成し、底辺６の両側面１６、１６の角を取り除いたから、吊りひも１０を底辺６に引っ掛けて被吊体１５を吊り下げても、従来のようにひもが角に接触して擦れるようなことはなく、したがって、この部分からひもが切断されることがない。
【産業上の利用可能性】
【００１４】
上述の利点を有する本考案吊り具は吊りひもが切断される恐れがないので、家庭の内外において額縁、鉢植、鏡等の被吊体を吊り下げる際、あるいは美術館、展覧会場、その他において、被吊体を吊り下げる際に安心して使用される。したがって、本考案は各種の産業分野において広く利用される可能性を有している。
【図面の簡単な説明】
【００１５】
【図１】本考案にかかる吊り具の一具体例の斜視図である。
【図２】図１の吊り具を壁面に固定した状態の側面図である。
【図３】図２のＡ―Ａ線断面図である。
【図４】額縁を壁面に吊り下げた状態の正面図である。
【図５】公知の吊り具である。
【符号の説明】
【００１６】
Ａ  本考案の吊り具
１  立ち上がり片の先端
４  立ち上がり片
５  立ち上がり片の末端
６  底辺
７  底辺の先端
８  先端片
９  底辺の横断面
１０  吊りひも
１２  壁面
１４  ひもの端
１５  被吊体
１６  側面
【図１】
0003107755.tif 000003
【図２】
0003107755.tif 000004
【図３】
0003107755.tif 000005
【図４】
0003107755.tif 000006
【図５】
0003107755.tif 000007
(57)【要約】【課題】  ガラス原料カレットが溶融炉の側壁やその周辺のホッパーの側壁やスクリューコンベア等の装置に押し付けられ擦れても、それらの接触面を削剥することがなく、不純物が含まれることのない高品質のガラスを得ることができるガラス原料カレットとする。【解決手段】  ガラス溶融炉２内に投入溶融されるガラス原料１を転動可能な略球形状の粒に形成する。【選択図】  図１
0003107767.tif 000002
【実用新案登録請求の範囲】
【請求項１】
ガラス溶融炉内に投入溶融されるガラス原料を転動可能な略球形状の粒に形成したことを特徴とするガラス原料カレット。
【請求項２】
ガラス原料は使用済みガラスであることを特徴とする請求項１記載のガラス原料カレット。
【考案の詳細な説明】
【技術分野】
【０００１】
本考案は、ガラス原料カレットに係り、詳しくは、溶融炉の側壁やその周辺の搬送部等を削剥することのないガラス原料カレットに関するものである。
【背景技術】
【０００２】
ガラス原料として、珪砂、ソーダ灰、石灰石等を新しく調合して粉末状として溶融したものや、或いは廃蛍光灯管等の使用済みガラスから異物を分離除去し破砕した後、溶融し適切な大きさのカレットとしたものをガラス原料としている。
これらのガラス原料を形にしたものは、角張って角を有する小片状や、凹凸で角のある粒形状となっている。
【考案の開示】
【考案が解決しようとする課題】
【０００３】
ガラス製造工程中にガラス原料を溶融炉で溶融する場合、装置によってはガラス原料をホッパーに投入し、投入されたガラス原料はスクリューコンベアで溶融炉に搬送され、溶融炉内に投入されている。
このスクリューコンベアでの搬送においては、ガラス原料カレットを多量に押し込んで搬送すると、ガラス原料カレットがスクリューコンベア筒の内周壁やスクリューに押し付けられ、ガラス原料カレットの角が擦れて摩擦により筒の内周壁やスクリューの表面がガラス原料カレットで削剥され、削られた金属粉等がガラス原料カレットに混入し、このため得られるガラスは不純物を含んでしまうという問題点を有していた。
【０００４】
又、ホッパーに投入される場合も、側壁にガラス原料カレットの角が擦れて側壁の表面が削剥したり、溶融炉に投入される場合も、溶融炉の側壁の材質によってはホッパーと同様に側壁にガラス原料カレットの角が擦れて側壁の表面が削剥し、削られた金属粉等がガラス原料カレットに混入し、ガラスは不純物を含んでしまうのである。
【０００５】
上記点より、本考案はガラス原料カレットが溶融炉の側壁や、その周辺のホッパーの側壁やスクリューコンベア等の装置に押し付けられ擦れても、それらの接触面を削剥することがなく、不純物が含まれることのない高品質のガラスを得ることができるガラス原料カレットを提供しようとするものである。
【課題を解決するための手段】
【０００６】
上記課題を解決するため請求項１記載の本考案ガラス原料カレットは、ガラス溶融炉内に投入溶融されるガラス原料を転動可能な略球形状の粒に形成したことを特徴とするものである。
【０００７】
このような構成とすることにより、ガラス原料カレットは角がないので溶融炉の側壁や、その周辺のホッパーの側壁やスクリューコンベア等の装置に押し付けられても、ガラス原料カレットはこれらの表面を転動するので摩擦が少なく、これらの表面が削剥することがない。
又、ガラス原料カレットは転動するので側壁等をスムーズに移行し、投入が容易であると共に搬送作業も円滑となる。
【０００８】
次に、請求項２記載の本考案ガラス原料カレットは、請求項１記載のガラス原料カレットにおいて、ガラス原料は使用済みガラスであることを特徴とするものである。
【０００９】
このような構成とすることにより、使用済みガラスは有効に再利用され、最適のガラス原料となる。
【考案の効果】
【００１０】
本考案ガラス原料カレットによれば、ガラス原料カレットは球形状の粒に形成したので角がなく、溶融炉の側壁やその周辺のホッパーの側壁やスクリューコンベア等の装置に押し付けられても、ガラス原料カレットはこれらの表面を転動するので摩擦が少なく、これらの表面が削剥することがないので、削られた金属粉等がガラス原料カレットに混入することがなく、不純物が含まれることのない高品質のガラスを得ることができる効果を有する。
【００１１】
ガラス原料カレットにより溶融炉の側壁や、その周辺のホッパー、スクリューコンベア等の装置の接触面が損傷を受けることがないので、装置のメンテナンスが容易となると共に、素手で取り扱う際に怪我をする虞れのない効果を有する。
【００１２】
又、ガラス原料カレットは転動するので側壁等をスムーズに移行し、投入が容易であると共に、搬送も円滑に行われる。
又、ガラス原料カレットは転動するので、スクリューコンベアを使用せずに筒を下方傾斜させてホッパーから溶融炉に搬送できるので、動力が不要となり搬送装置も簡略化され、経済的効果が大きくなる。
【考案を実施するための最良の形態】
【００１３】
以下、本考案の一実施の形態を図面に基づき説明する。
図１は本考案ガラス原料カレットの一実施の形態を示す斜視図である。
本考案のガラス原料カレット１は略球形状に形成され、図１（ａ）に示すような真球に近い球形状や、図１（ｂ）に示すような楕球形状等、その他転動可能な略球形状の粒に形成されている。
【００１４】
このガラス原料カレット１は、珪砂、ソーダ灰、石灰石等を新しく調合し、この粉末を溶融して略球形状の粒に形成、又は廃蛍光灯管等の使用済みの廃棄ガラスから異物を分離除去し、破砕したカレットを溶融して略球形状の粒に形成、或いは新しく調合した粉末と廃棄ガラスからのカレットを混合したものを溶融して略球形状の粒に形成することができる。
【００１５】
図２は、ガラス原料カレット１が溶融炉２内に投入され使用される状態を示す溶融装置の概略図であり、ガラス原料カレット１はホッパー３内に投入された後、ホッパー３の下部に横設したスクリューコンベア４で溶融炉２に搬送され、溶融炉２内に投入される。
この一連の工程中にガラス原料カレット１はホッパー３の側壁、スクリューコンベア４、スクリューコンベア筒５、溶融炉２の側壁に接触するが、ガラス原料カレット１は略球形状で角がないため、ガラス原料カレット１と接触する箇所は削剥される虞れがない。
【図面の簡単な説明】
【００１６】
【図１】本考案ガラス原料カレットの一実施の形態を示す斜視図である。
【図２】本考案ガラス原料カレットが溶融炉に投入される工程を示す溶融装置の概略図である。
【符号の説明】
【００１７】
１  ガラス原料カレット
２  溶融炉
３  ホッパー
４  スクリューコンベア
５  スクリューコンベア筒
【図１】
0003107767.tif 000003
【図２】
0003107767.tif 000004